(57)【要約】      （修正有）【課題】タッチパネル操作が可能な手袋の編成に好適な導電モール糸、及び当該導電モール糸により全体が編成されて、柔らかい装着感を有する手袋を提供する。【解決手段】芯糸１と花糸３ａ，３ｂ及び該芯糸１と花糸３ａ，３ｂとを接着する接着繊維（バインダー糸）２とから成り、芯糸１及び花糸３ａ，３ｂの少なくとも一方に導電繊維が含まれている導電モール糸Ｍにより手袋の全体を編成する。【選択図】図１
0003168345.tif 000002
【実用新案登録請求の範囲】
【請求項１】
芯糸と花糸、及び当該芯糸と花糸とを接着するバインダー糸とから成るモール糸であって、
前記芯糸及び花糸の少なくとも一方には、導電繊維が含まれていることを特徴とする導電モール糸。
【請求項２】
前記導電繊維は、内部にナノサイズの金属粒子が複合されたものであることを特徴とする請求項１に記載の導電モール糸。
【請求項３】
前記芯糸は、前記導電繊維を２０％含む７０デニールのナイロン糸であり、
前記花糸は、前記導電繊維を４０％含む７０デニールのナイロン糸と、前記導電繊維を４０％含む７５デニールのポリエステル糸とが、前記芯糸とバインダー糸との間に交互に挟み込まれていることを特徴とする請求項２に記載の導電モール糸。
【請求項４】
請求項１ないし３のいずれかに記載の導電モール糸で全体が編成されて、少なくとも親指袋部と人差指袋部とは独立した指袋部となっていることを特徴とする導電モール糸で編成された手袋。
【考案の詳細な説明】
【技術分野】
【０００１】
本考案は、タッチパネル操作が可能な手袋等の編成に好適な導電モール糸、及び当該導電モール糸で全体が編成された手袋に関するものである。
【背景技術】
【０００２】
近時、静電容量式のタッチパネル式携帯電話等のタッチパネル式機器が普及し始めている。一方、冬季には、手に手袋を着用することが多く、当該着用状態のままで、タッチパネル式携帯電話を操作したい場合がある。
【０００３】
手袋を着用したままで、一方の手でタッチパネル式携帯電話を持って、他方の手の指先でタッチパネルを操作しようとすると、静電容量式のタッチパネルは、手袋を装着したままであると、当該手袋を構成する一般の編糸が絶縁体に近い物性を有しているために、タッチパネルの所定部を指先で押しても、指袋部を形成している編糸に対しては通電しないために静電容量は検知されない。即ち、手袋を装着したままでは、タッチパネルのタッチ部の静電容量が変化しないために、結果としてタッチパネルの操作ができない。
【０００４】
静電容量式のタッチパネルの操作が可能な手袋の一つとして、特許文献１に開示されているように、親指袋部及び人差指袋部の各先端部のみを導電繊維で編成し、残りの全ての部分は、一般の編成糸で編成されたものである。
【０００５】
汎用の導電繊維の一つとして、アクリル繊維、ナイロン繊維等の樹脂繊維に硫化銅を化学結合させて導電性を付与した繊維が知られている。また、他の汎用の導電繊維としては、アクリル繊維、ナイロン繊維等の樹脂繊維内に、ミクロンサイズのカーボンブラックを練り込んだものや、繊維の表面に無電解めっきを施した金属めっき繊維等があるが、これらの導電繊維は、上記した導電性付与の製法（加工）によって、繊維自体が硬くなっている。このため、タッチパネル操作の頻度の高い親指袋部及び人差指袋部の各先端部のみを当該導電繊維で編成する場合は、問題はないが、手袋の全体を当該導電繊維で編成した場合には、コスト面の問題もさることながら、手袋の全体が硬い感じとなってしまって、装着感が悪いという問題があった。
【先行技術文献】
【特許文献】
【０００６】
【特許文献１】実用新案登録第３１６０２１１号公報
【考案の概要】
【考案が解決しようとする課題】
【０００７】
本考案は、タッチパネル操作が可能な手袋等の編成に好適な導電モール糸、及び当該導電モール糸により全体が編成されて、柔らかい装着感を有する手袋の提供を課題としている。
【課題を解決するための手段】
【０００８】
上記課題を解決するための請求項１の考案は、芯糸と花糸、及び当該芯糸と花糸とを接着するバインダー糸とから成るモール糸であって、前記芯糸及び花糸の少なくとも一方には、導電繊維が含まれていることを特徴とする導電モール糸である。
【０００９】
請求項１の考案に係る導電モール糸は、芯糸及び花糸の少なくとも一方に導電繊維が含まれている構造であるために、当該導電モール糸により、手袋、マフラー等の衣類関連商品を編成した場合には、全体を導電糸で編成する場合に比較して、モール糸本来の特性である柔らかみ、暖かみ、或いはふんわりとした感じを有しているのに加えて、導電性を有するために、手に装着したままでタッチパネル操作が可能な手袋や、静電・帯電防止が可能なマフラー、靴下等の人体に直接に装着する衣類関連商品を編成すると、効果が大きい。
【００１０】
請求項２の考案は、請求項１の考案において、前記導電繊維は、内部にナノサイズの金属粒子が複合されたものであることを特徴としている。
【００１１】
ナノサイズの金属粒子を複合させた導電繊維は、本出願の時点で開発されている。請求項２の考案によれば、導電繊維そのものが、硫化銅を化学結合させて導電性を付与した繊維や、繊維の表面に無電解めっきを施して導電性を付与した金属めっき繊維等に比較して柔らかいので、モール糸本来の特性が一層に発揮される利点がある。
【００１２】
請求項３の考案は、請求項２の考案において、前記芯糸は、前記導電繊維を２０％含む７０デニールのナイロン糸であり、前記花糸は、前記導電繊維を４０％含む７０デニールのナイロン糸と、前記導電繊維を４０％含む７５デニールのポリエステル糸とが、前記芯糸とバインダー糸との間に交互に挟み込まれていることを特徴としている。
【００１３】
請求項３に係る導電モール糸は、導電性を有していて、芯糸、及び花糸の材質、並びに太さからして、タッチパネル操作が可能な手袋の編成に好適である。
【００１４】
また、請求項４の考案は、請求項１ないし３のいずれかに記載の導電モール糸で全体が編成されて、少なくとも親指袋部と人差指袋部とは独立した指袋部となっていることを特徴とする導電モール糸で編成された手袋である。
【００１５】
導電モール糸で全体が編成された手袋は、全部位において導電性を有しているために、親指又は人差指の先端部をタッチパネルにタッチさせて操作を行うことが可能であるのに加えて、芯糸及び花糸の少なくとも一方に、ナノサイズの金属粒子が複合された導電繊維を含んだ導電モール糸により手袋の全体が編成されているために、樹脂繊維に硫化銅を化学結合させて導電性を付与した繊維や、ミクロンサイズのカーボンブラックを練り込んだり、或いは繊維の表面に無電解めっきを施した導電繊維と異なって、モール糸本来の柔らかみ、暖かみ、或いはふんわりとした感じを有しているために、装着感が良好である。
【考案の効果】
【００１６】
本考案に係る導電モール糸は、導電性を有しているのに加えて、モール糸特有の柔らかさ、ふんわりとした感触を有しているために、タッチパネル操作が可能な手袋の編成に好適であり、また、静電・帯電防止が可能なマフラー、靴下等の人体に直接に装着する衣類関連商品にも適用できる。また、本考案に係る導電モール糸は、芯糸及び花糸の少なくとも一方に導電繊維を含ませているために、当該導電繊維の使用割合が少なくて済むので、編成品の全体を導電繊維で編成する場合に比較して、当該編成品を安価に編成できる。
【００１７】
本考案に係る編成手袋は、芯糸及び花糸の少なくとも一方に導電繊維を含む導電モール糸で全体が編成されていて、全部位において導電性を有しているために、親指又は人差指の先端部をタッチパネルにタッチさせて操作を行うことが可能であるのに加えて、モール糸本来の特性である柔らかみ、暖かみ、或いはふんわりとした感じを有しているために、装着感が良好である。
【図面の簡単な説明】
【００１８】
【図１】本考案に係る導電モール糸Ｍの斜視図である。
【図２】本考案に係る導電モール糸Ｍにより全体が編成された手袋Ｇを装着した手でタッチパネル操作をしている状態の斜視図である。
【考案を実施するための形態】
【００１９】
最初に、図１を参照して、本実施例の導電モール糸Ｍについて説明する。本実施例の導電モール糸Ｍは、芯糸１と、バインダー糸である接着繊維２とが撚り合わされた形状となって、両糸１，２の間に、種類の異なる花糸３ａ，３ｂが交互に挟み込まれて、芯糸１と花糸３ａ，３ｂとが接着繊維２を介して接着固定されて、芯糸１に対して花糸３ａ，３ｂがずれないように固定されている。
【００２０】
芯糸１及び花糸３ａは、７０デニールの同一の糸であって、ナイロン糸に対して導電繊維を２０％だけ含むものである。導電繊維は、内部にナノサイズの金属粒子が複合された繊維であって、例えば、株式会社クラレの製造販売に係る「クラロンＥＣ（商品名）」の使用が可能である。この「クラロンＥＣ（商品名）」は、繊維内部に硫化銅のナノ微粒子が微細に形成されたポリビニルアルコール（ＰＶＡ）の繊維である。一方、花糸３ｂは、上記した導電繊維である「クラロンＥＣ（商品名）」を４０％だけ含むポリエステル糸である。
【００２１】
上記した導電モール糸Ｍは、従来のモール撚糸機を用いた製法により製造可能であって、芯糸１に沿わせて接着繊維２を複数本だけ供給しながら、当該芯糸１及び接着繊維２に対して花糸３ａと同３ｂとを交互に巻き付けて、カッターにより各花糸３ａ、３ｂを切断しながら撚糸を行ってモールを形成した後に、前記接着繊維２が溶融する温度で熱処理して、芯糸１に対して花糸３ａ，３ｂが脱落しないように接着固定することにより得られる。
【００２２】
また、別の製法としては、芯糸内に接着性繊維を混紡し、当該芯糸に対して花糸を巻き付けて、カッターにより当該花糸を切断した後に、熱処理により芯糸に対して花糸が脱落しないように接着固定する方法もある。
【００２３】
上記した導電モール糸Ｍは、芯糸１及び花糸３ａ，３ｂの双方が、ナノサイズの金属粒子が複合された導電繊維を含んでいるために、当該導電モール糸Ｍで編成された編成品は、樹脂繊維に硫化銅を化学結合させて導電性を付与した導電繊維や、ミクロンサイズのカーボンブラックを練り込んだり、或いは繊維の表面に無電解めっきを施した導電繊維により編成された編成品と異なって、モール糸本来の柔らかみ、暖かみ、或いはふんわりとした感じを有しているために、装着感が良好である。
【００２４】
特に、上記した導電モール糸Ｍにより５本指の手袋Ｇ（図２参照）の全体を編成すると、手に装着したままで、当該導電モール糸Ｍの有する導電性によって、静電容量式の携帯電話等のタッチパネル操作が可能になると共に、手袋の全体が導電モール糸Ｍにより編成されているにもかかわらず、当該手袋は、モール糸本来の上記特性を有しているために、装着感が極めてよい。また、手袋の全体が導電モール糸Ｍにより編成されているため、通常の保温用の手袋と識別することができないため、親指袋部及び／又は人差指袋部の先端部のみが導電繊維で編成されている従来のタッチパネル操作が可能な手袋のように特殊手袋を認識させることがない。
【００２５】
そして、図２に示されるように、上記手袋Ｇを両手に装着したままで、一方の手の指先でタッチパネル式携帯電話ＴのタッチパネルＰを操作することが可能となる。
【００２６】
また、上記した導電モール糸Ｍにより、手袋以外のマフラー、靴下等の人体に直接に装着する衣類関連商品を編成すると、静電・帯電が防止できて、使い易くなる。
【００２７】
また、上記した導電モール糸Ｍには、材質及び導電繊維の含有量の異なる２種類の花糸３ａ，３ｂが使用されているが、一種類であってもよい。本考案の導電モール糸により手袋を編成する場合において、芯糸１及び花糸３ａ，３ｂの一方のみに導電繊維を含有させることで、タッチパネル操作が可能な場合には、この構造であってもよい。手袋を編成する場合において、芯糸及び／又は花糸に含有させる導電繊維の割合は、タッチパネル操作が可能な程度の導電性を有していることが基準となる。
【００２８】
また、上記実施例では、芯糸１及び花糸３ａ，３ｂに含ませる導電繊維は、繊維内部に硫化銅のナノ微粒子が微細に形成されたポリビニルアルコール（ＰＶＡ）の繊維であるが、硫化銅を化学結合させて導電性を付与した繊維や、繊維の表面に無電解めっきを施して導電性を付与した金属めっき繊維等を導電繊維として使用して、芯糸１及び花糸３ａ，３ｂに含ませることも可能である。
【符号の説明】
【００２９】
Ｇ：手袋
Ｍ：導電モール糸
Ｐ：タッチパネル
１：芯糸
２：接着繊維（バインダー糸）
３ａ，３ｂ：花糸
【図１】
0003168345.tif 000003
【図２】
0003168345.tif 000004